【誤訳訂正書】
【提出日】平成20年8月18日(2008.8.18)
【誤訳訂正１】
【訂正対象書類名】明細書
【訂正対象項目名】全文
【訂正方法】変更
【訂正の内容】
【発明の詳細な説明】
【発明の名称】モバイル通信システムにおける加入者の複数登録
【技術分野】
【０００１】
本発明は、通信システムに関し、特に加入契約がシステムの制御手段に対して複数登録を行うことができる通信システムに関する。
【背景技術】
【０００２】
通信システムは、システムと関連するユーザー機器および／または他のノードなどの２つ以上のエンティティ間の通信を可能にする装置とみなすことができる。その通信には、例えば、音声、データ、およびマルチメディアなどの通信が挙げられるであろう。
【０００３】
概して通信システムは、システムの様々な要素の何が実行を許可され、それがどのように達成されるべきかを定義する、所与の規格または仕様に基づいて動作する。例えば、規格または仕様は、ユーザー、より正確にはユーザー機器または端末がユーザー回路交換サービスおよび／またはパケット交換サービスを受けているかどうかを定義することが可能である。接続に用いられる通信プロトコルおよび／またはパラメータも、定義することが可能である。すなわち、その通信が基づくことのできる特定の一連の「規定」は、そのシステムによって通信が可能になるように定義される必要がある。
【０００４】
無線通信をユーザー機器またはその他タイプの終端ノードのために証明する通信システムは、公知である。無線システムの一例には、セルラーネットワークがある。セルラーシステムにおいて、基地局（ＢＴＳ）または類似的なアクセスエンティティは、これらのエンティティ間の無線インタフェースを介してユーザー機器（ＵＥ）に対応する。このモバイルユーザー機器は、概して移動局（ＭＳ）という用語で示される。システム内の通信は、１つまたは複数の制御エンティティによって制御することができる。様々な制御エンティティを相互接続してもよい。１つ以上のゲートウェイノードを、セルラーネットワークの他のネットワーク、例えば、別のセルラーシステムまたは公衆交換電話網（ＰＳＴＮ）および／またはＩＰ（インターネットプロトコル）および／または他のパケット交換ネットワークのような他のパケット交換ネットワークなどへの接続のために提供してもよい。ユーザー機器と通信ネットワークのエンティティとの間の通信は、適切な通信プロトコルに基づくことができる。プロトコルの一例には、セッション開始プロトコル（ＳＩＰ）がある。
【０００５】
通信システムは、ネットワークの様々なサービスの提供機能をサーバーとして公知のネットワークエンティティによって取り扱う方向で開発されている。例えば、現在の第三世代（３Ｇ）の無線マルチメディアネットワークのアーキテクチャにおいて、いくつかの異なるサーバーを異なる機能を取り扱うために用いることも考えられる。これらには、コール状態制御機能（ＣＳＣＦ）などの機能が挙げられる。このコール状態制御機能は、プロキシコール状態制御機能（Ｐ−ＣＳＣＦ）、問合せコール状態制御機能（Ｉ−ＣＳＣＦ）、およびサービングコール状態制御機能（Ｓ−ＣＳＣＦ）などの様々なカテゴリに分類することが可能である。時折ＣＳＣＦをコールセッション制御機能と呼ぶことが好まれると理解されたい。
【０００６】
サービングコール状態制御機能は、通信システムからサービスを要求できるようにするために加入者が登録する必要のあるエンティティを形成する。サービング制御エンティティに加えて、ユーザーは、プロキシおよび問合せ制御エンティティを伴うことを必要とすることがある。ユーザーは、同時に複数の登録を有することができる。ユーザーが通信システムを介して通信できるようにするためには、少なくとも１つの登録が必要である。登録手続きの間、様々な認証クエリーまたはメッセージおよび認証５ビットバイトおよび／またはキーに基づくそれらのような認証パラメータを、そのプロセスに関係したエンティティ間で移動する必要があることがある。
【０００７】
概して、登録とは、ユーザーがサービングコール状態制御機能で識別子を登録することを意味する。登録手順の間に、公開識別子（ＩＤ）のような識別子が、制御エンティティに提供される。この公開ＩＤは、通信システムへの加入契約に関連する 識別子である。公開識別子は、公知の電話システムの電話番号として機能することが可能である。しかしながら、第二世代（２Ｇ）の携帯電話のような従来の電話が１つの番号しか有することができない一方で、例えば、３Ｇの電話は複数の識別子（例えば、電話番号、例えばセッション開始プロトコル（ＳＩＰ）ユニバーサルリソースロケータ（ＵＲＬ）など１つ以上のｅメールのようなアドレス、代替の通信手段のための１つまたは複数のアドレスなど）を有することができる。
【０００８】
加入契約は、また、少なくとも１つの関連するプライベート識別子を有することが可能である。プライベート識別子は、加入契約を特定のユーザーに関連することが可能である。すなわち、加入契約は、複数のユーザーを有することが可能である。ユーザーは、あらゆる適切な加入者識別子モジュール（ＳＩＭ）などの理論上等しい識別子のエンティティとみなすことが可能である。
【０００９】
加入契約は、様々な識別子およびユーザーと関連付けることが可能である。例えば、家族または組織（事業所など）が共通の公開識別子を有することが可能である。それに加えて、グループの全てのメンバーは、さらに公開識別子およびプライベート識別子を有することができる。
【００１０】
３Ｇ通信システムにおいて、コールを開始する、またはコールを受けることを望むユーザーは、彼または彼女の公開ＩＤを登録しなければならない。ユーザーが２つの公開ＩＤ（例えば、ＩＤ１およびＩＤ２）を有しているがＩＤ１しか登録していない場合、ＩＤ２がネットワークに登録されていないので、ＩＤ２から開始する、またはＩＤ２へと開始されるすべてのコールは不成功となる。
【００１１】
第三世代標準化団体（３ＧＰＰ）によって指定されるような現在の登録手順は、ユーザーに対して公開ＩＤを別々におよび独立して登録し、同一のサービスプロファイルに属するそれらの公開ＩＤを保存する。特定の加入者の全てのユーザー識別子は、コール制御エンティティに登録すべきであると提案されている。例えば、３ＧＰＰの基本資料のうちのリリース５（Ｒｅｌ５）バージョンでは、全てのそれらの識別子を同一のサービングコール状態制御機能（Ｓ−ＣＳＣＦ）エンティティに登録することを提案している。
【００１２】
Ｓ−ＣＳＣＦエンティティは、個々の公開ＩＤのレベルにおいてのみ登録状態を認識するため、ユーザーが１つ以上の登録を有するかどうか、およびユーザーが１つ以上の制御エンティティに登録されているかどうかを知ることができない。
【００１３】
上記のように、例えば、３ＧＰＰ  Ｒｅｌ５ベースの通信システムのようなある種の通信規格において、同じＩＰマルチメディアサブシステム（ＩＭＳ）加入者に属する全ての公開識別子は、同じ制御エンティティに登録されなければならない。しかしながら、同時に、あらゆる登録、再登録、および登録取り消し手続きは、一つずつ行なわれる。個々の公開ＩＤの登録は独立して取り扱われるので、ユーザーが少なくとも２つのＳ−ＣＳＣＦに登録されることが起こりうる。これは、全てのアプリケーションにおいて許可されるというわけでない。例えば、公開ユーザー識別子（ＩＭＰＵ）のような公開ＩＤが異なるＳ−ＣＳＣＦに登録されている場合、その後いくつかのサービス（例えばフォーキング）の実行が不可能になることがある。
【００１４】
図１に示すように、３ＧにおけるＳ−ＣＳＣＦの選択は、概して登録中にＩ−ＣＳＣＦ内で実行される。しかしながら、Ｉ−ＣＳＣＦは、ユーザーが他のいずれかのＳ−ＣＳＣＦに登録されているかどうかを知ることができない。従って、同じ加入契約のそれぞれの独立した登録が、加入者管理サーバー（ＨＳＳ）からのＩ−ＣＳＣＦによって受信されるサーバー機能情報に基づいて異なるＳ−ＣＳＣＦに転送されることがありえる。
【００１５】
複数登録の問題解決法が、国際出願、公開番号ＷＯ０２／０９１７８５に開示されている。当該先出特許出願では、Ｉ−ＣＳＣＦが、新しく登録された識別子を以前に登録が行われた場所である異なるＳ−ＣＳＣＦにアドレス指定するかどうかを決定するように構成されるという実施態様を開示している。この場合、古い登録はそれから新しいＳ−ＣＳＣＦへ移動する。この解決策は現実的であると考えられているが、それでもなお別の解決策が必要である。
【００１６】
さらに、ＷＯ０２／０９１７８５では、異なるタイプの識別子および／または複数のプライベート識別子を有するという問題に対処していない。例えば、加入契約は、複数のプライベートユーザー識別子（ＩＭＰＩ）および複数の公開識別子を有することが可能なのである。
【００１７】
上記では登録手続きおよびインターネットプロトコル（ＩＰ）ベースの第三世代の（３Ｇ）通信システムおよびセッション開始プロトコル（ＳＩＰ）による関連した問題が論じられているが、他のシステムでも同様な不都合を伴い、従ってその説明はこれらの例に限定されるものではないと理解されたい。
【特許文献１】国際公開ＷＯ０２／０９１７８５号公報
【発明の開示】
【００１８】
本発明の実施態様は、上述の問題点のうちの１つまたは複数に対処することを目標としている。
【００１９】
本発明の一側面によれば、加入契約が複数の公開およびプライベート識別子と関連する通信システムにおける方法であって、
前記複数の公開およびプライベート識別子の間の関係の情報と、前記識別子のうちの少なくとも１つが登録された制御エンティティの情報とを、ユーザー情報ストレージに格納するステップと、
前記制御エンティティを前記ユーザー情報ストレージに格納された前記情報に基づいて更なる登録に割り当てるステップと、
を備える方法が提供される。
【００２０】
本発明の別の側面によれば、通信システムであって、前記通信システムのユーザーと関連する公開およびプライベート識別子間の関係の情報ならびに前記公開およびプライベート識別子の少なくとも１つが登録された制御エンティティの情報とを格納するように構成された、複数の制御エンティティ及びユーザー情報ストレージと、前記ユーザー情報ストレージに格納された情報に基づいてユーザーと関連する更なる登録に前記コール制御エンティティを割り当てるための手段とを備える通信システムが提供される。
【００２１】
本発明のさらに別の側面によれば、通信システムのためのユーザー情報ストレージエンティティであって、前記通信システムのユーザーと関連する公開およびプライベート識別子間の関係の情報ならびに前記公開およびプライベート識別子のうち少なくとも１つが登録された制御エンティティの情報とを格納するための手段と、前記ユーザー情報ストレージに格納された情報に基づいてユーザーと関連する更なる登録に前記コール制御エンティティを割り当てるための手段とを備える、ユーザー情報ストレージエンティティが提供される。
【００２２】
より具体的な実施態様では、更なる制御エンティティが、ユーザー情報ストレージからのユーザーの登録状態に対するクエリーを行い、前記クエリーは前記制御エンティティへの登録要求の経路指定を可能にする情報を返すことによって応答される。前記制御エンティティは、サービスコール状態制御機能を備えることが可能で、更なるエンティティは、問合せコール状態制御機能を備えることが可能である。前記ユーザー情報ストレージは、加入者管理サーバーを備えることが可能である。
【００２３】
前記制御エンティティへの経路指定を可能にする前記情報は、前記制御エンティティの名前またはアドレスを有することが可能である。
【００２４】
前記ユーザー情報ストレージは、更なる登録に対して割り当てられるように前記制御エンティティを選択するように構成することが可能である。
【００２５】
本実施態様は、様々な利点を提供することができる。加入契約と関連する全ての識別子を、単一のコール状態制御機能に登録することが可能である。サービスは、通常の方法で、また加入契約に用いられる識別子から独立して、機能することが可能である。一部の実施態様では、加入契約と関連する前記プライベートおよび公開識別子の同じサービスコール制御機能への登録を確実に行うことができる。一部の実施態様は、同じような方法で異なる識別子に同じサービスを提供することが可能である。
【本発明の好適な実施形態の説明】
【００２６】
本発明の更なる理解のために、添付図面を例として参照する。以下では、３Ｇ仕様に基づいて構成された図２の例証通信システムを参照して本発明の実施態様を説明する。モバイル通信システムは、無線インタフェースを介して複数のモバイルユーザー機器１に対応するように構成される。移動局とも呼ぶことが可能であるモバイルユーザー機器の基本的な動作原理は当業者によって公知であり、従ってここでは更に詳しく説明しない。
【００２７】
モバイル通信システムは、概して無線アクセスネットワーク（ＲＡＮ）およびコアネットワーク（ＣＮ）に分けることができる。複数のモバイルユーザーのユーザー機器１は、無線インタフェースを通じて３Ｇ無線アクセスネットワーク（ＲＡＮ）により対応されている。ユーザー機器は、アクセスエンティティに関連した移動が可能であり、従って、移動局という用語で示すことが可能である。図２は、明確にする理由から１つの無線アクセスネットワークしか示していないが、典型的な通信ネットワークシステムでは複数の無線アクセスネットワークを備えることを理解されたい。３Ｇ無線アクセスネットワーク（ＲＡＮ）は、加入者ノード（ＳＧＳＮ）のような適切な単一または複数のコアネットワークに接続される。典型的なモバイル通信ネットワークおよびその様々なエンティティの動作は、当業者によって公知であり、従ってここでは更に詳しく説明しない。
【００２８】
図２はまた、複数のコール状態制御機能エンティティ（ＣＳＣＦ）２２乃至２４、３０および３１を示す。これらのうち、コール状態制御機能エンティティ２２は、ユーザー機器１が少なくとも１つの登録を有する、いわゆるサービングコール状態制御機能（Ｓ−ＣＳＣＦ）である。すなわち、ユーザーは、制御エンティティ２２に少なくとも１つの識別子を登録している。従って、制御エンティティ２２は現在、前記ユーザー機器１に対応しており、前記ユーザー機器の状態を制御している。コール状態制御機能エンティティ２３および２４はまた、ユーザーの識別子がそれらのいずれかによって登録される場合に、同様の機能を提供する。プロキシＣＳＣＦ３０および問合せＣＳＣＦ３１の機能を、図３の信号送信フローチャートも参照して以下に説明する。
【００２９】
ユーザー情報ストレージ２６も示す。より詳しくは、ユーザー情報ストレージは、加入者管理サーバー（ＨＳＳ）によって提供されるように示される。本発明の原理によれば、ＨＳＳは、ユーザーの識別子情報およびそのユーザーが登録されるコール制御エンティティの情報を格納するように構成される。異なるユーザーの識別子の可能な関係の情報も、加入者管理サーバー（ＨＳＳ）２６に格納することが可能である。加入者管理サーバー（ＨＳＳ）２６は、登録識別子（ＩＤ）（Ｓ−ＣＳＣＦによって現在登録されている、または現在登録されていない）および通信システムの使用と関連する更なる同様の情報などを登録することも可能である。
【００３０】
制御エンティティおよび状態の情報は、登録中にユーザー情報ストレージ２６の格納手段３５に保存することが可能である。格納された情報は、再登録および／または登録取り消しの間に更新することができる。
【００３１】
加入者管理サーバー（ＨＳＳ）には、例えば、登録およびセッションのセットアップ手順の間に制御エンティティによってクエリーを行うことができる。「セッション」という用語は、ユーザーが行いうるコール、データ（例えば、ウェブの閲覧）、またはマルチメディア通信などのあらゆる通信を示すと理解されたい。
【００３２】
以下に記載される実施態様において、加入契約のための個々の識別子（ＩＤ）の登録は、ＨＳＳによって３ＧＰＰ  ＩＭＳ（ＩＰマルチメディアサブシステム）のドメインで同期される。好適な実施態様において、ＨＳＳは、加入契約と関連する様々な識別子間の関係のレコードを保持する。ＨＳＳはまた、Ｓ−ＣＳＣＦに登録される識別子に関する情報も保持する。すでに存在している登録に関連する更なる識別子の登録の場合には、Ｓ−ＣＳＣＦの名前および／またはアドレスなどの適切な経路指定情報を提供することによってこの登録に対して同じＳ−ＣＳＣＦを割り当てることができる。
【００３３】
様々な識別子間の関係の情報に基づいて、ＨＳＳは、例えば公開ユーザー識別子（ＩＭＰＵ）の例えば初期の登録の場合に、同じユーザーの何らかの識別子または加入契約がすでに登録されているかどうかを検出することが可能である。図３に示すように、登録が存在する場合、ＨＳＳは、従来技術で行われているようにＳ−ＣＳＣＦの名前をサーバー機能に戻す代わりに、ユーザー登録状況のクエリーに対して与えられた応答に戻す。
【００３４】
例えば、このような応答は、Ｉ−ＣＳＣＦによって始められたユーザー登録状況のクエリー（ＵＡＲ）に対して与えることが可能である。Ｉ−ＣＳＣＦは、それから、名前またはアドレスを応答（ＵＡＡ）において受信したＳ−ＣＳＣＦに、登録メッセージを転送することが可能である。
【００３５】
説明したように、加入契約は複数の公開およびプライベート識別子を有することが可能である。図４において、ＩＭＰＵおよびＩＭＰＩとしてそれぞれ示されるのは、加入契約−ＩＭＰＩ−ＩＭＰＵ−ＳＰなどの関係の一例である。プライベート識別子ＩＭＰＩ１およびＩＭＰＩ２を、２つの独立した加入者識別子モジュール（ＳＩＭ）またはユーザー機器と関連する同様の同様のユーザー識別子モジュールによって提供することが可能である。例えば、３ＧＰＰにおいて、これらの識別子モジュールはＵＳＩＭと呼ばれる。
【００３６】
ＩＭＰＩは、独立したＳＩＭカード上におよび／または独立したユーザー機器に格納することができるので、ＨＳＳは、これらのユーザー機器からの登録を同じＳ−ＣＳＣＦに転送することができないことがある。しかしながら、ＨＳＳは、共通のサービスに関する共通の特徴に関する情報を受けることができる。
【００３７】
ＨＳＳは、ＩＭＰＩ間の関係を、例えば少なくとも１つの共通の公開識別子（ＩＭＰＵ）、共通のサービスプロファイル（ＳＰ）、またはプライベート識別子の背後の共通の加入契約に基づいて追跡することが可能である。この関係に基づいて、ＨＳＳは、同じサービスが提供されるべきであると認識することができる。
【００３８】
例えば、制御エンティティ２２乃至２４のいずれにも加入契約の公開識別子が登録されていない場合、ＨＳＳ２６は、サービス機能をＩ−ＣＳＣＦ３１に戻す。Ｉ−ＣＳＣＦ３１は、図１に示すように、それからＨＳＳ２６から受信したサービス機能データに基づいて割り当てを行うことが可能である。
【００３９】
クエリーを受信した時点で、ＨＳＳ２６は、その加入契約がすでに登録された公開識別子を有するかどうかを確認する。加入契約がすでに当該関連登録の少なくとも１つを有する一方で、登録される公開識別子と関連するプライベート識別子（例えば、加入契約に関連するユーザー）が、いずれの登録済み公開識別子を有さないことがありうる。この場合、ＨＳＳ２６は、Ｓ−ＣＳＣＦの名前をＩ−ＣＳＣＦ３１に送信することが可能である。すなわち、ＨＳＳ２６は、Ｉ−ＣＳＣＦ３１の代わりに、識別子が関連する識別子を有すること、関係が加入契約を介することの検出に基づいて割り当てを行う。
【００４０】
１つの実施態様によれば、ＨＳＳ２６は、共通の公開識別子（ＩＭＰＵ）を有する異なるプライベート識別子（ＩＭＰＩ）が単一加入者に属することを認識できる。識別子とサービスプロファイル（ＳＰ）との間の関係に関する情報を解析することも可能である。プライベート識別子は、例えば、所与の加入契約または複数のユーザー機器のいくつかの公開識別子を一緒にバンドルするために用いることが可能である。
【００４１】
図４の例において、２つの公開識別子ＩＭＰＵ１およびＩＭＰＵ３は、互いに全く独立している。しかしながら、図４に示すように、２つの公開識別子は、２つのプライベート識別子ＩＭＰＩ１およびＩＭＰＩ２を経た関係を有している。また、この２つの公開識別子は、それぞれ第３の識別子ＩＭＰＵ２とも関係している。従って、この例において、共通のＩＭＰＵ２のために同じＳ−ＣＳＣＦの２つの独立した公開識別子の登録を行うことができる。
【００４２】
関連チェーンのビルドアップは、共通のプライベート識別子の登録状態に関係なく実行することが可能である。
【００４３】
２人のユーザーまたは２台の端末を有する１人のユーザーが存在する場合、ＨＳＳは、共通のＩＭＰＵが登録されていなくとも、同じＳ−ＣＳＣＦをＩＭＰＩ１とＩＭＰＩ２の両方に割り当てる事が起こりうる。それでも、両ユーザーは、共通のサービスにアクセスすることを望む。ＨＳＳは、識別子の関係に関して情報を格納するため、この２つの独立したＩＭＰＩ間の関係を決定することができる。
【００４４】
識別子間の関連を認識した時点で、ＨＳＳは、サーバー機能に関する情報を送信する代わりに、すでに使用したＳ−ＣＳＣＦへの経路指定を可能にする名前または他の情報をＩ−ＣＳＣＦへ送信することのみが必要となりうる。
【００４５】
このような場合、新しい識別子は、既存の登録があるところではなく同じＳ−ＣＳＣＦに登録される。
【００４６】
より具体的には、図３において、ユーザー機器は、例えばＳＩＰ  ＲＥＧＩＳＴＥＲメッセージをプロキシサーバーエンティティ３０に送信することによって登録に対する要求を送信していることがある。この登録要求は、プロキシ３０から問合せサーバーエンティティ３１に転送される。それから、問合せサーバーエンティティ３１と加入者管理サーバー２６の加入者情報データベース３５との間に、適切なクエリー手順を完成することが可能である。
【００４７】
クエリー手順の間、ＨＳＳ２６は、格納されている情報に基づき、識別子が加入契約に関連するいくつかの他の登録済み公開および／またはプライベート識別子に関連することを認識することが可能である。格納された情報は、様々な識別子間のつながりを表すことが可能である。２つのプライベート識別子が有することがありえる様々な関係の一例を図４に示す。この情報に基づいて、ＨＳＳは、例えば、少なくとも１つの他の公開識別子が制御エンティティ２２（Ｓ-ＣＳＣＦ１）によって登録されることを認識できる。従って、ＨＳＳ２６は、Ｓ−ＣＳＣＦ１（２２）の名前、アドレス、または他の経路指定情報をＩ−ＣＳＣＦ３１に、クエリーへの応答として戻すことが可能である。問合せサーバー３１はそれから、戻された経路指定情報に基づいて制御エンティティ２２からの登録を要求することが可能である。
【００４８】
この機構は、同じサービスを利用している全ての公開および／またはプライベートＩＤの登録が同じ制御エンティティで行われることを確実にするために用いることが可能である。提案された機構は、同じ加入契約または同じサービスプロファイルに属する全てのＩＤが同じＳ−ＣＳＣＦに登録されることを確実にすることが可能である。同じサービス制御エンティティでの登録は、加入者または複数の加入者に対する同じサービスの提供を可能にする。これは、識別子間のつながりに関する情報をユーザー情報ストレージに格納にることによって、およびサーバー機能情報の代わりにサービス制御エンティティの名前またはアドレスにて制御エンティティのクエリーへ応答することによって実現することができる。
【００４９】
本発明の実施態様は、移動局のようなユーザー機器に関して記述されているが、本発明の実施態様はその他のいかなるユーザーの好適タイプにも適用可能であると理解されたい。
【００５０】
本発明の実施態様は、コール状態制御機能エンティティに関して述べられている。本発明の実施態様は、該当する他のネットワーク要素に適用可能である。
【００５１】
本発明の実施態様は、ユニバーサルモバイルテレコミュニケーションシステム（ＵＭＴＳ）３Ｇシステムおよびセッション開始プロトコル（ＳＩＰ）との関連において記載されている。本発明は、他のいずれの通信システムもおよびプロトコルにも適用可能である。他のシステムの例には、汎用パケット無線システム（ＧＰＲＳ）、ＧＳＭ進化型高速データレート（ＥＤＧＥ）、ｉ−ｐｈｏｎｅまたはＩＭＴ−２０００（国際モバイルテレコミュニケーション）などの他の第三世代（３Ｇ）テレコミュニケーションシステム、および地上基盤無線（ＴＥＴＲＡ）システムなどが挙げられるが、これらに限定されない。
【００５２】
また本願明細書には、上記の本発明の実施態様を例証する一方で、添付の請求の範囲に記載された本発明の範囲を逸脱することなく、開示された解決策に対して行うことが可能な様々なバリエーション、および修正があるということにも注目されたい。
【図面の簡単な説明】
【００５３】
【図１】従来技術の処理における情報の流れを示す。
【図２】本発明を具体化することが可能である通信システムの一部を示す。
【図３】本発明実施に順ずる情報の流れを示す。
【図４】ユーザーに対する可能なユーザー識別子の関係を示す。